(57)【要約】【課題】高域摩擦トルクの使用に対する安定性や信頼性を十分確保することができるヒンジを提供する。【解決手段】機器本体に取り付けられる支持部材１と、支持部材１の左右の支持プレート１ｂ間に取り付けられる支持軸４と、支持軸４に回転可能に取り付けられる複数枚のフリクション板３と、開閉部材を開閉自在に支持し、支持部材１に回転自在に取り付けられると共に、フリクション板３のフリクション孔３ｂに挿通されてこの当接面が弾性的に摩擦当接する回転軸２から構成される。【選択図】        図１
2005016605.tif 000002
【特許請求の範囲】
【請求項１】
ノート型パソコン等の機器本体と開閉部材とを相対的に開閉自在に連結し、開閉部材の開閉時に回転軸の周面側に摩擦トルクを生じさせることにより、開閉部材を任意の開閉角度に保持できるように構成したヒンジにおいて、上記機器本体に取り付けられる支持部材と、該支持部材の左右の支持プレート間に取り付けられる支持軸と、該支持軸に回転可能に取り付けられる複数枚のフリクション板と、上記開閉部材を開閉自在に支持し、上記支持部材に回転自在に取り付けられると共に、上記フリクション板のフリクション孔に挿通されて該フリクション孔の当接面が弾性的に摩擦当接する上記回転軸から構成されることを特徴とするヒンジ。
【発明の詳細な説明】
【０００１】
【発明の属する技術分野】
本発明は、ノート型パソコン等の機器本体と開閉部材とを相対的に開閉自在に連結し、開閉部材の開閉時に回転軸の周面側に摩擦トルクを生じさせることにより、開閉部材を任意の開閉角度に保持できるように構成したヒンジにおいて、特に摩擦トルクを生じさせるフリクション板に係るものである。
【０００２】
【従来の技術】
本発明者は、図７に示すように、回転軸Ｒを両側から弾性的に挟むフリクション板Ｆにおいて、該回転軸Ｒの半周部を抱持する当接片Ｆ１は半円状に形成されていた。
【０００３】
【発明が解決しようとする課題】
しかしながら、上記従来の半円状の当接片Ｆ１は、片持ち状態で回転軸Ｒに当接力を与えるようになっているため、強度上摩擦トルク上限の問題があり、特に高域摩擦トルクの使用に対する安定性や信頼性に問題があった。
【０００４】
本発明は、上記のような従来の問題点に鑑みなされたものであって、その目的とするところは、高域摩擦トルクの使用に対する安定性や信頼性を十分確保することができるヒンジを提供することにある。
【０００５】
【課題を解決するための手段】
上記のような課題を解決するために、本発明の請求項１に係るヒンジはノート型パソコン等の機器本体と開閉部材とを相対的に開閉自在に連結し、開閉部材の開閉時に回転軸の周面側に摩擦トルクを生じさせることにより、開閉部材を任意の開閉角度に保持できるように構成したヒンジにおいて、上記機器本体に取り付けられる支持部材と、該支持部材の左右の支持プレート間に取り付けられる支持軸と、該支持軸に回転可能に取り付けられる複数枚のフリクション板と、上記開閉部材を開閉自在に支持し、上記支持部材に回転自在に取り付けられると共に、上記フリクション板のフリクション孔に挿通されて該フリクション孔の当接面が弾性的に摩擦当接する上記回転軸から構成されることを特徴とする。
【０００６】
【発明の実施の形態】
以下、本発明の実施の形態について、図面を参照しながら説明する。
図１〜図３は、本発明によるヒンジの一実施例を示すもので、支持部材１と、回転軸２と、多数枚のフリクション板３と、支持軸４と、押圧作用軸５から構成されている。
【０００７】
上記支持部材１は、ノート型パソコンなどの機器本体（図示せず）に取り付けられるベースプレート１ａと、該ベースプレート１ａの左右に立設されている左右の支持プレート１ｂから構成されている。
【０００８】
上記回転軸２は、上記支持プレート１ｂに回転自在に取り付けられている。６は止め輪である。該回転軸２には、ノート型パソコンなどのディスプレイ付き蓋のような開閉部材（図示せず）の基部が取り付けられていて、該開閉部材が上記機器本体に対して開閉可能に取り付けられている。
【０００９】
上記フリクション板３は、図２および図３からも明らかなように、上記支持軸４が挿通する取付孔３ａと、上記回転軸２が挿通するフリクション孔３ｂと、上記押圧作用軸５が挿通する軸孔３ｃから構成されている。上記フリクション孔３ｂの半弧状部分は回転軸２に摩擦当接する当接面３ｂ１となっている。フリクション板３は少なくとも２枚設けられ、隣接するフリクション板３の上記当接面３ｂ１が相互に向き合うように取り付けられ、上記回転軸２を左右から弾性的に挟むようになっている。
【００１０】
また、図２から明らかなように、上記フリクション孔３ｂの中心は、上記取付孔３ａと軸孔３ｃを結ぶ線Ｌに対して、わずかな角度（本実施例では５°）だけ内側に偏芯しているので、左右のフリクション板３を支持軸４と押圧作用軸５に組み付けた場合、図３に示すように、左右の当接面３ｂ１が相互に接近する状態になる。
従って、これらの当接面３ｂ１の間に、上記回転軸２を挿入すると、図１（Ｂ）に矢印ロで示すように、当接面３ｂ１が回転軸２に弾性的に押し付けられ、その結果、回転軸２がフリクション板３の摩擦力により任意の回転位置に保持される。
【００１１】
本発明のフリクション板は、上記実施例に限定するものではなく、例えば、図５に示すように、フリクション板７の当接面７ａに平坦部７ｂを形成すると共に、図５に示すように、これに当接する回転軸２にも平坦部２ａを形成することにより、上記フリクション板７の平坦部７ｂが、上記回転軸２の平坦部２ａにぴったり合わさっている状態では、フリクション板７により回転軸２の回転が弾性的にロックされる。開閉部材が機器本体に対して閉じた状態に、このロック状態としておくと、開閉部材は自然に開く恐れはなく、従来のようなロック機構を特別に設ける必要はない。
開閉部材に手を掛けて強制的に開けようとすると、図５（Ｂ）に示すように、上記回転軸２がフリクション板７の弾性力に抗して回転して、開閉部材を開くことができる。回転軸２が回転した状態においても、依然として回転軸２に押圧摩擦力が働いているので、開閉部材を任意の角度に保持しておくことができる。
【００１２】
また、上記実施例では、フリクション板による回転軸への押圧摩擦力を押圧作用軸により発生せしめているが、図６に示すように、フリクション板８に押圧作用片８ａと形成して、これを締付けネジ９により締め付けて、押圧摩擦力を発生せしめるようにしてもよい。
【００１３】
【発明の効果】
本発明によれば、フリクション板における高域摩擦トルクの使用に強度上の安定性や信頼性を十分確保することができる。
【図面の簡単な説明】
【図１】本発明によるヒンジの一実施例を示す正面図（Ａ）、そのイ−イ断面図（Ｂ）である。
【図２】図１の実施例のフリクション板の説明図（Ａ）（Ｂ）である。
【図３】図１の実施例のフリクション板の作用説明図である。
【図４】図１のヒンジの作用説明図（Ａ）（Ｂ）である。
【図５】本発明のフリクション板の別の実施例を示す説明図である。
【図６】本発明のフリクション板の更に別の実施例を示す説明図である。
【図７】従来のロック機構の説明図ある。
【符号の説明】
１  支持部材
１ａ  ベースプレート
１ｂ  支持プレート
２  回転軸
３  フリクション板
３ａ  取付孔
３ｂ  フリクション孔
３ｂ１  平坦部
３ｃ  軸孔
４  支持軸
５  押圧作用軸
６  止め輪
７  フリクション孔
７ａ  当接面
７ｂ  平坦部
８  フリクション板
９  締付けネジ
【図１】
2005016605.tif 000003
【図２】
2005016605.tif 000004
【図３】
2005016605.tif 000005
【図４】
2005016605.tif 000006
【図５】
2005016605.tif 000007
【図６】
2005016605.tif 000008
【図７】
2005016605.tif 000009